(57)【要約】【課題】内視鏡の対物レンズ部組において対物レンズの位置決め精度を確保し品質の信頼性を確保しながら斜視型内視鏡にも対応し得る形態の内視鏡と、この内視鏡に用いられる対物レンズ部組の組立方法を提供する。【解決手段】対物レンズと対物レンズを保持する枠部材とによって構成される対物レンズ部組を具備する内視鏡において、枠部材は対物レンズが接着固定される側の内径が他端側の内径よりも太径となる太径部を有して形成され、太径部と太径部よりも細径となる細径部との連設部位には段差部が形成され、枠部材の太径部側の外周縁部にはカシメ部が少なくとも一箇所設けられてなる対物レンズ部組を具備してなる。【選択図】図２
2006145991.tif 000002
【特許請求の範囲】
【請求項１】
対物レンズと前記対物レンズを保持する枠部材とによって構成される対物レンズ部組を具備する内視鏡において、
前記枠部材は、前記対物レンズが接着固定される側の内径が他端側の内径よりも太径となる太径部を有して形成され、
前記太径部には、前記太径部よりも細径となる細径部が連設して形成され、
前記太径部と前記細径部との連設部位には段差部が形成され、
前記枠部材の前記太径部側の外周縁部には、カシメ部が少なくとも一箇所設けられてなる対物レンズ部組を備えて構成されていることを特徴とする内視鏡。
【請求項２】
請求項１に記載の内視鏡において、
前記対物レンズ部組は、前記枠部材の他端側の前記細径部にイメージガイドファイバーが連設され、
前記対物レンズは、観察光学系の一部を構成するものであることを特徴とする。
【請求項３】
請求項１に記載の内視鏡において、
前記対物レンズ部組は、前記枠部材の他端側の前記細径部にライトガイドファイバーが連設され、
前記対物レンズは、照明光学系の一部を構成するものであることを特徴とする。
【請求項４】
対物レンズと、前記対物レンズを保持する枠部材とによって構成される対物レンズ部組を具備する内視鏡の組立方法であって、
前記枠部材の先端側から前記対物レンズを保持する太径部の内部に向けて前記対物レンズを、前記枠部材の前記太径部から前記太径部よりも細径に形成され前記太径部に連設される細径部と前記太径部との間の連設部位に形成される段差部によって位置決めされる部位まで挿入する工程と、
前記枠部材の先端側に成形型を用いてカシメ処理を施してカシメ部を形成する工程と、
前記枠部材の前記太径部の内壁面に接着剤を塗布する工程と、
前記対物レンズを前記枠部材の後端側から前記枠部材の先端側に向けて治具を用いて移動させる工程と、
前記対物レンズを前記カシメ部に当接させた位置にて前記対物レンズの位置決めをおこなって、その位置に接着固定する工程と、
を備えてなることを特徴とする内視鏡の対物レンズ部組の組立方法。
【発明の詳細な説明】
【技術分野】
【０００１】
この発明は、内視鏡、詳しくは照明光学系や観察光学系の一部を構成する対物レンズとこの対物レンズを保持する枠部材とからなる対物レンズ部組を具備する内視鏡と、この内視鏡に用いる対物レンズ部組の組立方法に関するものである。
【背景技術】
【０００２】
従来より、可撓性を有し細長形状の挿入部とこの挿入部に連設され各種の操作部材等を備えた操作部とを具備する内視鏡は、医療分野や工業分野等において、被検体内部の検査や処置をおこなう際に広く実用化されている。
【０００３】
医療分野における内視鏡は、挿入部を体腔内に挿入することによって、被検者を切開することなく体腔内臓器等の観察及び検査をおこなうことができるだけでなく、必要に応じて挿入部の処置具挿通用チャンネルを介して処置具を体腔内に導入することで各種の治療や処置をおこなうことができるというものである。
【０００４】
通常の場合、内視鏡の先端部には、例えば観察機能を実現する観察光学系の構成部材のうち被検体の光学像を形成するための対物レンズ及びこの観察光学系の対物レンズを保持するレンズ枠とからなる観察用対物レンズ部組や、被検体の観察を行なうために被検体に対して照明光束を投射する機能を実現する照明光学系の構成部材のうち照明光束を集光して所定の方向へ出射する対物レンズ及びこの照明光学系の対物レンズを保持するレンズ枠とからなる照明用対物レンズ部組や、操作部に設けられる処置具挿通口に連設され挿入部を挿通する処置具チャンネルの一端部のチャンネル開口等が配設されている。
【０００５】
前記観察用対物レンズ部組には、当該観察用対物レンズ部組を介して形成される光学像を、例えば撮像素子または観察光学系の接眼レンズへと導くイメージガイドファイバー束の一端部が連設されている。また、前記照明用対物レンズ部組には、例えば操作部の内部または外部光源装置等によって発光される照明光束を前記照明用対物レンズ部組へと導くライトガイドファイバー束の一端部が連設されている。
【０００６】
一般に、照明光学系の対物レンズは、多くの光量を透過させる必要性から、そのレンズ直径は、これに連設されるライトガイドファイバー束の直径よりも大きくなる傾向がある。一方、観察光学系の対物レンズは、複数のレンズを組み合わせることによって、その光学系の最大部位の直径を小さく構成することができる。
【０００７】
従来の内視鏡においては、例えば特開２００３−２６２７７４号公報等によって開示されているように、先端部に対物レンズ及びレンズ枠からなる対物レンズ部組を組み込む際には、例えば先端硬性部の所定の部位にレンズ枠を接着固定した後、このレンズ枠の先端側から対物レンズを挿入して、そのレンズ枠の所定の部位に接着固定し、その後、レンズ枠の先端側の周縁部をカシメることで、当該対物レンズをレンズ枠に固定するといった組立方法が用いられている。
【特許文献１】特開２００３−２６２７７４号公報
【発明の開示】
【発明が解決しようとする課題】
【０００８】
ところが、上述した対物レンズ部組の組立方法のような手段では、レンズ枠に対物レンズを接着固定した後に、そのレンズ枠の一部をカシメるようにしているので、この場合においては、レンズ枠のカシメをおこなうのに際して対物レンズ自体にもカシメ時の応力がかかってしまうことが考えられる。すると、例えば対物レンズが破損してしまったり、残留応力の影響に起因して経時変化によって対物レンズに不具合が生じてしまうという問題点がある。
【０００９】
ところで、近年においては、内視鏡の先端部に設けられる先端硬性部の軸方向（内視鏡の挿入方向）に対して所定の角度を設けてレンズ枠を配置して構成されるいわゆる斜視型の内視鏡についての提案が種々なされており、また実用化されている。
【００１０】
このような斜視型内視鏡においては、その軸方向に対して斜め方向に向けて設けられるレンズ枠に対して、その後方（基端側）からガイドファイバー束を挿入し、これを所定の位置に配置するような組立方法が用いられている。
【００１１】
近年の内視鏡にあっては、ますます小型化及び細径化の実現がなされて、今後、さらなる小型化及び細径化への要望がある。近年における内視鏡のうち、例えば気管支系の観察検査及び処置をおこない得るようにしたものでは、内視鏡の挿入部の先端部等の小型化や細径化が常に要望されている。
【００１２】
しかしながら、上述したような従来の組立方法を用いたのでは、対物レンズ部組において、例えば対物レンズの位置決め精度を出すのが容易ではないという問題点がある。さらにまた、斜視型内視鏡に対応させて、より確実な精度や品質の信頼性を確保することが困難な傾向になるという問題点がある。
【００１３】
本発明は、上述した点に鑑みてなされたものであって、その目的とするところは、内視鏡の対物レンズ部組において、対物レンズの位置決め精度を確保し品質の信頼性を確保しながら、斜視型内視鏡にも対応し得る形態の内視鏡と、この内視鏡に用いられる対物レンズ部組の組立方法を提供することである。
【課題を解決するための手段】
【００１４】
上記目的を達成するために、本発明による内視鏡は、対物レンズと前記対物レンズを保持する枠部材とによって構成される対物レンズ部組を具備する内視鏡において、前記枠部材は、前記対物レンズが接着固定される側の内径が他端側の内径よりも太径となる太径部を有して形成され、前記太径部には、前記太径部よりも細径となる細径部が連設して形成され、前記太径部と前記細径部との連設部位には段差部が形成され、前記枠部材の前記太径部側の外周縁部には、カシメ部が少なくとも一箇所設けられてなる対物レンズ部組を備えて構成されていることを特徴とする。
【発明の効果】
【００１５】
本発明によれば、内視鏡の対物レンズ部組において、対物レンズの位置決め精度を確保し品質の信頼性を確保しながら、斜視型内視鏡にも対応し得る形態の内視鏡と、この内視鏡に用いられる対物レンズ部組の組立方法を提供することができる。
【発明を実施するための最良の形態】
【００１６】
以下、図示の実施の形態によって本発明を説明する。  
図１〜図４は、本発明の一実施形態の内視鏡を示す図である。このうち、図１は、本内視鏡の先端部の正面図である。図２は、図１のII−II線に沿う側断面図であって、照明光学系の対物レンズ部組の構成を示している。図３は、図１のIII−III線に沿う側断面図であって、観察光学系の対物レンズ部組の構成を示している。図４は、図１のIV方向から見た際の矢視図であって、照明光学系及び観察光学系及び処置具チャンネル開口の位置関係を示している。
【００１７】
また、図５〜図８は、本発明の一実施形態の内視鏡の先端部に配設される照明光学系の対物レンズ部組の組立手順を示す図である。このうち、図５は、枠部材に対して照明光学系の対物レンズを挿入する際の様子を示す要部概略断面図である。図６は、図５で対物レンズが挿入された枠部材に対してカシメを施す際の様子を示す要部概略断面図である。図７は、図６で所定の部位にカシメが施された枠部材に対して接着剤を塗布した際の様子を示す要部概略断面図である。図８は、図７で接着剤が塗布された部位に対物レンズを配置する際の様子を示す要部概略断面図である。
【００１８】
そして、図９〜図１２は、本発明の一実施形態の内視鏡の先端部に配設される観察光学系の対物レンズ部組の組立手順を示す図である。このうち、図９は、観察光学系の対物レンズ部組の一部を構成する枠部材のみを取り出して示す要部概略断面図である。図１０は、図９の枠部材に対して接着剤を塗布した際の様子を示す要部概略断面図である。図１１は、図１０の状態の枠部材に対して観察光学系の対物レンズを挿入する際の様子を示す要部概略断面図である。図１２は、観察光学系の枠部材に対して対物レンズを所定の位置に配置した状態を示す要部概略断面図である。
【００１９】
まず、本実施形態の内視鏡の概略構成について、図１〜図４を用いて以下に説明する。
【００２０】
本内視鏡は、細長形状からなり可撓性を有し先端に先端部１を具備する挿入部（全体構成は図示せず）と、この挿入部に連設される操作部（図示せず）とによって構成される。
【００２１】
本内視鏡の先端部１は、硬性部材からなる先端硬性部１０と、この先端硬性部１０の先端側に固設され超音波振動子１１ａ及びこれを保持する振動子保持部材１１ｂからなる超音波振動子ユニット１１と、先端硬性部１０に固設される二つの対物レンズ部組であって照明光学系の対物レンズ部組（以下、ＬＧ側対物レンズ部組という）１２及び観察光学系の対物レンズ部組（以下、ＩＧ側対物レンズ部組という）１３等の各種構成部材によって構成されている。
【００２２】
前記先端硬性部１０には、挿入部（図示せず）に挿通される処置具チャンネル（図示せず）が連設する貫通孔である処置具チャンネル開口部１８が穿設されている。この処置具チャンネル開口部１８の後端側に処置具チャンネルの先端部分が固設されている。
【００２３】
前記ＬＧ側対物レンズ部組１２は、照明光学系の一部を構成するＬＧ側対物レンズ１２ａと、このＬＧ側対物レンズ１２ａを保持する枠部材であるＬＧ側対物レンズ枠１２ｂによって構成されている。そして、ＬＧ側対物レンズ枠１２ｂの先端側に前記ＬＧ側対物レンズ１２ａが接着剤Ｂ等によって接着固定されている。また、ＬＧ側対物レンズ枠１２ｂの後端側には、ライトガイドファイバーバンドル１４が嵌合配置されている。このライトガイドファイバーバンドル１４は、本内視鏡の挿入部の内部を挿通し操作部内に設けられる光源ユニット（図示せず）に接続されている。なお、このライトガイドファイバーバンドル１４は、保護チューブ１５によって外周側が保護されている。
【００２４】
前記ＬＧ側対物レンズ枠１２ｂは、例えばステンレス（ＳＵＳ）等の管状部材からなり、図２及び図５に示すように、先端側となる一端側の内径（Ｄ１）は、後端側となる他端側の内径（Ｄ２）よりも若干太径となるように形成されている（Ｄ１＞Ｄ２）。これにより、ＬＧ側対物レンズ枠１２ｂの内壁には、その中程の部位に段差部１２ｃが形成されている。
【００２５】
また、これに伴って他端側の外径（Ｄ４）は、一端側の外径（Ｄ３）よりも若干細径となるように形成されている（Ｄ３＞Ｄ４）。このことは、例えば本ＬＧ側対物レンズ枠１２ｂと本内視鏡の先端部１における他の内部構成部材との干渉を避けるのに寄与する形状である。
【００２６】
なお、以下の説明においては、ＬＧ側対物レンズ枠１２ｂの一端側（先端側）の内径を太径部Ｄ１と、同外径を太径部Ｄ３と、他端側（後端側）の内径を細径部Ｄ２と、同外径を細径部Ｄ４と表記するものとする。
【００２７】
また、太径部Ｄ１の形成される範囲（軸方向の長さＬ２；図５参照）は、ＬＧ側対物レンズ１２ａ自体の光軸方向の全長Ｌ３よりも充分長く設定されている。例えば前記太径部Ｄ１の軸方向の長さＬ２＝は、レンズ全長Ｌ３の約二倍程度の長さ寸法となるように設定されている。
【００２８】
Ｌ２≒Ｌ３×２（ｍｍ）
また、ＬＧ側対物レンズ枠１２ｂの太径部Ｄ１は、ＬＧ側対物レンズ１２ａの最大直径と略同等かまたは若干大径となるように設定される。つまり、ＬＧ側対物レンズ枠１２ｂの太径部Ｄ１に対してＬＧ側対物レンズ１２ａが嵌合し、かつ同ＬＧ側対物レンズ１２ａが軸方向に円滑に移動し得るように設定される。これと同時に、ＬＧ側対物レンズ枠１２ｂの細径部Ｄ２は、ＬＧ側対物レンズ１２ａが通過し得ない寸法に設定される。
【００２９】
ここで、ＬＧ側対物レンズ枠１２ｂの各部の寸法は、具体的には、例えば、
軸方向の長さＬ１＝３５ｍｍ
太径部（内径）Ｄ１＝０．７５ｍｍ
細径部（内径）Ｄ２＝０．６ｍｍ
太径部（外径）Ｄ３＝０．８５ｍｍ
細径部（外径）Ｄ４＝０．７ｍｍ
といった数値が適用できる。
【００３０】
前記ＩＧ側対物レンズ部組１３は、観察光学系の一部を構成するＩＧ側対物レンズ１３ａと、このＩＧ側対物レンズ１３ａを保持する枠部材であるＩＧ側対物レンズ枠１３ｂによって構成されている。そして、ＩＧ側対物レンズ枠１３ｂの先端側に前記ＩＧ側対物レンズ１３ａが接着剤Ｂによって接着固定されている。また、ＩＧ側対物レンズ枠１３ｂの後端側には、イメージガイドファイバーバンドル１６が嵌合配置されている。このイメージガイドファイバーバンドル１６は、本内視鏡の挿入部の内部を挿通し操作部内に設けられる撮像ユニット（図示せず）に接続されている。なお、このイメージガイドファイバーバンドル１６は、保護チューブ１７によって外周側が保護されている。
【００３１】
前記ＩＧ側対物レンズ枠１３ｂは、例えばステンレス（ＳＵＳ）等の管状部材からなり、図３及び図９に示すように、先端側となる一端側の内径（Ｄ６）は、後端側となる他端側の内径（Ｄ７）よりも若干細径となるように形成されている（Ｄ６＜Ｄ７）。なお、以下の説明においては、ＩＧ側対物レンズ枠１３ｂの一端側（先端側）の内径を細径部Ｄ６と、他端側（後端側）の内径を太径部Ｄ７と表記する。
【００３２】
したがって、ＩＧ側対物レンズ枠１３ｂの細径部Ｄ６における最先端部近傍には、先端側に向けて細径となる第１テーパー部１３ｃが形成されている。また、ＩＧ側対物レンズ枠１３ｂの中程の部位であって、細径部Ｄ６から太径部Ｄ７にかかる部位には、同様に先端側に向けて細径となる第２テーパー部１３ｄが形成されている。そして、ＩＧ側対物レンズ枠１３ｂの外径寸法は、一端側（先端側）と他端側（後端側）とで略同寸法で形成されている。
【００３３】
また、細径部Ｄ６の形成される範囲（軸方向の長さＬ５；図９及び図１２参照）は、ＩＧ側対物レンズ１３ａ自体の光軸方向の全長Ｌ６と略同等か若干短くなるように設定されている（Ｌ５≦Ｌ６）。
【００３４】
また、ＩＧ側対物レンズ枠１３ｂの細径部Ｄ６は、ＩＧ側対物レンズ１３ａの最大直径と略同等かまたは若干大径となるように設定される。つまり、ＩＧ側対物レンズ枠１２ｂの細径部Ｄ６に対してＩＧ側対物レンズ１３ａが嵌合し、かつ同ＩＧ側対物レンズ１３ａが軸方向に円滑に移動し得るように設定される。これと同時に、ＩＧ側対物レンズ枠１３ｂの太径部Ｄ７は、細径部Ｄ６よりも広く、かつＩＧ側対物レンズ１３ａの直径よリも充分に広い寸法に設定される。
【００３５】
ここで、ＩＧ側対物レンズ枠１３ｂの各部の寸法は、具体的には、例えば、
細径部（内径）Ｄ６＝０．６ｍｍ前後
太径部（内径）Ｄ７＝０．６５ｍｍ
最先端開口径Ｄ８＝０．５〜０．５５ｍｍ
外径Ｄ９＝０．８ｍｍ
といった数値が適用できる。
【００３６】
なお、図４に示すように前記ＬＧ側対物レンズ部組１２と前記ＩＧ側対物レンズ部組１３とは、隣接して配置されており、両者が隣接する部分は接着剤Ｂによって接着固定されている。
【００３７】
このように構成される前記ＬＧ側対物レンズ部組１２及び前記ＩＧ側対物レンズ部組１３のそれぞれの組立手順について以下に説明する。
【００３８】
まず、ＬＧ側対物レンズ部組１２の組立手順を図５〜図８を用いて以下に説明する。
【００３９】
ＬＧ側対物レンズ枠１２ｂを内視鏡の先端硬性部１０に対して組み付ける前に、ＬＧ側対物レンズ枠１２ｂに対してＬＧ側対物レンズ１２ａを組み付けて、ＬＧ側対物レンズ部組１２を組み立てる。
【００４０】
図５に示すように、ＬＧ側対物レンズ枠１２ｂの先端側の開口からＬＧ側対物レンズ１２ａを軸方向（矢印Ｘ１方向）に沿って落とし込む。こうして、ＬＧ側対物レンズ１２ａは、ＬＧ側対物レンズ枠１２ｂの太径部Ｄ１の内部に挿入される。そして、ＬＧ側対物レンズ１２ａは、図６に示すように段差部１２ｃに当接する位置に配置される。ここで、ＬＧ側対物レンズ枠１２ｂの細径部Ｄ２よりもＬＧ側対物レンズ１２ａの最大直径の方が充分に細く形成されていることから、ＬＧ側対物レンズ１２ａは段差部１２ｃよりも他端側（後端側）に落ち込むことはない。
【００４１】
この状態において、次に図６に示すように、ＬＧ側対物レンズ枠１２ｂの最先端側の外周縁部の所定の部位に対して成形型２１を用いてカシメ処理を施す。ここで、カシメ処理を施す部位については、少なくとも一箇所あればよく、またＬＧ側対物レンズ枠１２ｂの先端側の外周縁部を全周にわたってカシメる処理を施してもよい。
【００４２】
このカシメ処理によって、ＬＧ側対物レンズ枠１２ｂの最先端側の外周縁部には、ＬＧ側対物レンズ１２ａの最大直径よりも内径が小となる部分が形成される。これにより、ＬＧ側対物レンズ枠１２ｂの太径部Ｄ１の内部にあるＬＧ側対物レンズ１２ａは、ＬＧ側対物レンズ枠１２ｂの先端側の開口から外部へ出すことができない状態となる。
【００４３】
なお、このカシメ処理を施す際には、ＬＧ側対物レンズ１２ａは、型２１によりカシメ応力が直接かからない位置に配置されている。
【００４４】
図６に示す型２１を取り除いた後、次に、図７に示すようにＬＧ側対物レンズ枠１２ｂの太径部Ｄ１の内壁面の先端寄りの所定の範囲の部位に接着剤Ｂを所定量だけ塗布する。
【００４５】
次いで、図８に示すようにＬＧ側対物レンズ枠１２ｂの後端側から先端側へ向けてＬＧ側対物レンズ１２ａを図８の矢印Ｘ３に沿う方向に治具２２を用いて移動させる。そして、ＬＧ側対物レンズ１２ａの先端側の一面がＬＧ側対物レンズ枠１２ｂの先端部分に形成されるカシメ部に当接したところで、当該ＬＧ側対物レンズ１２ａの位置規制がなされる（図２参照）。この状態では、ＬＧ側対物レンズ１２ａの先端面は、ＬＧ側対物レンズ枠１２ｂの先端面と略一致するように設定される。
【００４６】
このように、ＬＧ側対物レンズ１２ａをＬＧ側対物レンズ枠１２ｂの太径部Ｄ１内部で移動させて所定の位置に配置する。このとき、ＬＧ側対物レンズ１２ａの移動に伴って、接着剤Ｂの一部が外部にはみ出すことがある。このはみ出し分の接着剤Ｂは、ＬＧ側対物レンズ枠１２ｂの先端側の開口から外部にはみ出ることになるので、これを拭き取るのみでよい。
【００４７】
このようにして組み立てられたＬＧ側対物レンズ部組１２を内視鏡の先端硬性部１０に対して所定の部位に配置し接着固定する。
【００４８】
その後、図示しないが、ライトガイドファイバーバンドル１４を先端硬性部１０の後端側から挿入し、ＬＧ側対物レンズ部組１２のＬＧ側対物レンズ枠１２ｂの細径部Ｄ２に嵌合させる。そして、ライトガイドファイバーバンドル１４の先端部をＬＧ側対物レンズ１２ａの後端面に当接させた状態とした後、ライトガイドファイバーバンドル１４の所定の部位を接着固定する。これにより、内視鏡の先端部における照明光学系を構成する部材の組み立てが完了する。
【００４９】
次に、ＩＧ側対物レンズ部組１３の組立手順を図９〜図１２を用いて以下に説明する。
【００５０】
ＩＧ側対物レンズ枠１３ｂを内視鏡の先端硬性部１０に対して組み付ける前に、ＩＧ側対物レンズ枠１３ｂに対してＩＧ側対物レンズ１３ａを組み付けて、ＩＧ側対物レンズ部組１３を組み立てる。その後、このＩＧ側対物レンズ部組１３にイメージガイドファイバーバンドル１６を嵌合接着させる。
【００５１】
まず、図９に示すように形成されたＩＧ側対物レンズ枠１３ｂの先端側の開口から同ＩＧ側対物レンズ枠１３ｂの細径部Ｄ６の内壁面に対して接着剤Ｂを所定量だけ塗布する。これにより、図１０に示すような状態になる。
【００５２】
図１０の状態のＩＧ側対物レンズ枠１３ｂに対して、その後端側から先端側へ向けてＩＧ側対物レンズ１３ａを図１１の矢印Ｘ４に沿う方向に治具２３を用いて移動させる。そして、ＩＧ側対物レンズ１３ａの先端側の一面がＩＧ側対物レンズ枠１３ｂの先端部分に形成される第１テーパー部１３ｃに当接したところで、当該ＩＧ側対物レンズ１３ａの位置規制がなされる。これにより、図１２に示す状態になる。この状態では、ＩＧ側対物レンズ１３ａの先端面は、ＩＧ側対物レンズ枠１３ｂの先端面と略一致するように設定され、かつＩＧ側対物レンズ１３ａは、ＩＧ側対物レンズ枠１３ｂの先端側の細径部Ｄ６内に嵌合接着される。なお、ここで、ＩＧ側対物レンズ１３ａをＩＧ側対物レンズ枠１３ｂの細径部Ｄ６内部で移動させるのに伴い、接着剤Ｂの一部が外部にはみ出すことがある。このはみ出し分の接着剤Ｂは、ＩＧ側対物レンズ枠１３ｂの先端側の開口から外部にはみ出ることになるので、これを拭き取るのみでよい。
【００５３】
このようにして組み立てられたＩＧ側対物レンズ部組１３にイメージガイドファイバーバンドル１６を後端側から挿入し、ＩＧ側対物レンズ枠１３ｂの太径部Ｄ７に嵌合させる。そして、イメージガイドファイバーバンドル１６の位置を前後させてピント調整をおこなう。この状態でイメージガイドファイバーバンドル１６をＩＧ側対物レンズ１３ａに対して接着固定する。
【００５４】
この状態で、ＩＧ側対物レンズ１３ａの各種の調整等をおこなった後、ＩＧ対物レンズ部組１３及びイメージガイドファイバーバンドル１６からなるユニットを内視鏡の先端硬性部１０の所定の部位に配置し接着固定する。これにより、内視鏡の先端部における観察光学系を構成する部材の組み立てが完了する。
【００５５】
以上説明したように上記一実施形態によれば、ＬＧ側対物レンズ枠１２ｂは、ＬＧ側対物レンズ１２ａを保持する部位（太径部Ｄ１）から、さらに後方に向けて延出した部分（細径部Ｄ２）を設けて形成している。このことから、例えば内視鏡の挿入部の軸方向（挿入方向）に対して斜め方向となるように照明光学系の光軸が配置される斜視型内視鏡においても、先端硬性部１０に組み付けられた状態のＬＧ側対物レンズ部組１２に対してライトガイドファイバーバンドル１４を嵌合させ接着する作業が容易となるので、確実に組み立て作業をおこなうことができる。
【００５６】
また、ＬＧ側対物レンズ１２ａをＬＧ側対物レンズ枠１２ｂの所定の部位に配置するのに際しては、カシメ処理部を設けたことにより、これに当接させるのみでＬＧ側対物レンズ１２ａを容易かつ確実に位置決めすることができる。したがって、生産性の向上に寄与することができる。
【００５７】
そして、ＬＧ側対物レンズ枠１２ｂの太径部Ｄ１の軸方向の長さを充分にとるように構成している。つまり、ＬＧ側対物レンズ１２ａ自体の光軸方向の全長Ｌ３よりも充分長く、例えば太径部Ｄ１の軸方向の長さＬ２＝をレンズ全長Ｌ３の約二倍程度の長さ寸法となるように設定している。これにより、ＬＧ側対物レンズ枠１２ｂの先端側の開口にカシメ処理を施す際には、ＬＧ側対物レンズ１２ａをカシメ処理部から充分に離れた位置に退避される。このことから、ＬＧ側対物レンズ枠１２ｂに対してカシメ処理を施す際には、カシメ応力がＬＧ側対物レンズ１２ａに加わることがない。したがって、カシメ時の応力がＬＧ側対物レンズ１２ａに悪影響を及ぼす心配を避けることができる。
【００５８】
また、ＬＧ側対物レンズ枠１２ｂの後端側を延長して細径部Ｄ２を形成し、この細径部Ｄ２にライトガイドファイバーバンドル１４を嵌合接着するようにしたので、外部からの不要な入射光束を遮断することができる。したがって、照明光学系による照明光束に損失を生じることなく、効率的に照明光束を出射することができる。
【００５９】
一方、ＩＧ側対物レンズ枠１３ｂにおいても、上述のＬＧ側対物レンズ１２ａと略同様に、ＩＧ側対物レンズ１３ａを保持する部位（細径部Ｄ６）から、さらに後方に向けて延出した部分（太径部Ｄ７）を設けて形成している。このことから、例えば内視鏡の挿入部の軸方向（挿入方向）に対して斜め方向となるように観察光学系の光軸が配置される斜視型内視鏡においても、先端硬性部１０に組み付けられた状態のＩＧ側対物レンズ部組１３に対してイメージガイドファイバーバンドル１６を嵌合させ接着する作業が容易となるので、確実に組み立て作業をおこなうことができる。
【００６０】
また、ＩＧ側対物レンズ部組１３を組み立てた後、これにイメージガイドファイバーバンドル１６を嵌合接着させ、その後に、先端硬性部１０へと組み込むようにしたので、ＩＧ側対物レンズ１３ａの各種の調整、例えば焦点調節などを、先端硬性部１０への組み込み前に、予めおこなうことが容易である。したがって、生産性の向上に寄与することができる。
【００６１】
そして、ＩＧ側対物レンズ枠１３ｂの後端側から挿入したＩＧ側対物レンズ１３ａをＩＧ側対物レンズ枠１３ｂの先端側に当接させるのみでＩＧ側対物レンズ１３ａの位置決めを容易にかつ確実におこなうことができる。したがって、生産性の向上に寄与することができる。
【図面の簡単な説明】
【００６２】
【図１】本発明の一実施形態の内視鏡の先端部の正面図。
【図２】図１のII−II線に沿う側断面図であって、照明光学系の対物レンズ部組の構成を示す図。
【図３】図１のIII−III線に沿う側断面図であって、観察光学系の対物レンズ部組の構成を示す図。
【図４】図１のIV方向から見た際の矢視図であって、照明光学系及び観察光学系及び処置具チャンネル開口の位置関係を示す図。
【図５】図１の内視鏡の先端部に配設される照明光学系の対物レンズ部組の組立手順を示す図であって、枠部材に対して照明光学系の対物レンズを挿入する際の様子を示す要部概略断面図。
【図６】図１の内視鏡の先端部に配設される照明光学系の対物レンズ部組の組立手順を示す図であって、図５で対物レンズが挿入された枠部材に対してカシメを施す際の様子を示す要部概略断面図。
【図７】図１の内視鏡の先端部に配設される照明光学系の対物レンズ部組の組立手順を示す図であって、図６で所定の部位にカシメが施された枠部材に対して接着剤を塗布した際の様子を示す要部概略断面図。
【図８】図１の内視鏡の先端部に配設される照明光学系の対物レンズ部組の組立手順を示す図であって、図７で接着剤が塗布された部位に対物レンズを配置する際の様子を示す要部概略断面図。
【図９】本発明の一実施形態の内視鏡の先端部に配設される観察光学系の対物レンズ部組の組立手順を示す図であって、観察光学系の対物レンズ部組の一部を構成する枠部材のみを取り出して示す要部概略断面図。
【図１０】本発明の一実施形態の内視鏡の先端部に配設される観察光学系の対物レンズ部組の組立手順を示す図であって、図９の枠部材に対して接着剤を塗布した際の様子を示す要部概略断面図。
【図１１】本発明の一実施形態の内視鏡の先端部に配設される観察光学系の対物レンズ部組の組立手順を示す図であって、図１０の状態の枠部材に対して観察光学系の対物レンズを挿入する際の様子を示す要部概略断面図。
【図１２】本発明の一実施形態の内視鏡の先端部に配設される観察光学系の対物レンズ部組の組立手順を示す図であって、観察光学系の枠部材に対して対物レンズを所定の位置に配置した状態を示す要部概略断面図。
【符号の説明】
【００６３】
１……先端部
１０……先端硬性部
１１……超音波振動子ユニット
１１ａ……超音波振動子
１１ｂ……振動子保持部材
１２……ＬＧ側対物レンズ部組（照明光学系側）
１２ａ……ＬＧ側対物レンズ
１２ｂ……ＬＧ側対物レンズ枠
１２ｃ……段差部
１３……ＩＧ側対物レンズ部組（観察光学系側）
１３……ＩＧ側対物レンズ部組
１３ａ……ＩＧ側対物レンズ
１３ｂ……ＩＧ側対物レンズ枠
１３ｃ……第１テーパー部
１３ｄ……第２テーパー部
１４……ライトガイドファイバーバンドル
１５……保護チューブ
１６……イメージガイドファイバーバンドル
１７……保護チューブ
１８……処置具チャンネル開口部
２１成形型
２２，２３……治具
Ｂ……接着剤
代理人弁理士伊藤進
【図１】
2006145991.tif 000003
【図２】
2006145991.tif 000004
【図３】
2006145991.tif 000005
【図４】
2006145991.tif 000006
【図５】
2006145991.tif 000007
【図６】
2006145991.tif 000008
【図７】
2006145991.tif 000009
【図８】
2006145991.tif 000010
【図９】
2006145991.tif 000011
【図１０】
2006145991.tif 000012
【図１１】
2006145991.tif 000013
【図１２】
2006145991.tif 000014